(57)【要約】      （修正有）【課題】シート材に設けられた鳩目に容易に着脱することができるフック、及びそのようなフックと鳩目を用いたシート製品を提供する。【解決手段】シート材２１に固定された鳩目２２に通すフックであって、外寸が前記鳩目２２の内径よりも大きいループ状であるエラストマー製の頭部１１と、前記鳩目２２の内径よりも大きい外寸を有するベース部１３と、頭部１１とベース部１３を接続し、鳩目２２の内径よりも小さい外寸を有するステム部１２とを有することを特徴とする。頭部１１を鳩目２２の孔に強く押し込むことにより、鳩目２２を間に、その孔よりも大きい頭部１１とベース部１３が両側に存在し、その間をステム部１２が接続するという形態で本フックが鳩目２２に遊嵌固定される。【選択図】図２
0003159804.tif 000002
【実用新案登録請求の範囲】
【請求項１】
シート材に固定された鳩目に通すフックであって、
a) 外寸が前記鳩目の内径よりも大きいループ状であるエラストマー製の頭部と、
b) 前記鳩目の内径よりも大きい外寸を有するベース部と、
c) 前記頭部と前記ベース部を接続し、前記鳩目の内径よりも小さい外寸を有するステム部と
を有することを特徴とするフック。
【請求項２】
全体がエラストマーで一体成形されたものであることを特徴とする請求項１に記載のフック。
【請求項３】
a) シート材と、
b) 前記シート材に固定された鳩目と、
c) 請求項１又は２に記載のフックと
を有することを特徴とするシート製品。
【請求項４】
前記シート材が衣服の素材の一部であることを特徴とする請求項３に記載のシート製品。
【請求項５】
前記シート材が鞄の素材の一部であることを特徴とする請求項３に記載のシート製品。
【考案の詳細な説明】
【技術分野】
【０００１】
本考案は、シート材から成る製品に設けられた鳩目と、それに取り付けるフックに関する。
【背景技術】
【０００２】
テントやマット、ディレクターズチェア等、厚手のシート材（帆布、本革、レザー、プラスチック等）を用いた製品には、鳩目が設けられていることが多い。また、このような厚手のシート材を素材として用いる外衣、鞄、帽子等の高加工度製品においても、同様に鳩目が設けられていることがある。これらの鳩目は、そこに紐等を通してシート材同士を連結する目的で、或いは、リンク等を引っかけて固定物に固定する目的で使用されるが、単なる装飾のために設けられることもある。
【０００３】
シート材や製品が大きい場合、鳩目自体に紐やフックを取り付けることが難しいため、鳩目にフックを取り付けておき、そのフックに紐やリンク、別のフック等を引っかけて、それらによりシート製品を吊すようにしたり、固定物に固定するのが便利である。特許文献１には、そのような鳩目に取り付けるフックの様々な形態のものが紹介されている。
【先行技術文献】
【特許文献】
【０００４】
【特許文献１】特開2000-225005号公報
【考案の概要】
【考案が解決しようとする課題】
【０００５】
従来の鳩目に取り付けるためのフックはいずれも金属製のものであり、鳩目に取り付けるためにはフックを弾性変形可能なものにするか、或いは、フックを２パート式にして、ネジ等を用いて分離・組立を行う必要があった。しかし、弾性変形可能としても、金属である限りは大きな力が必要であるし、仮に、小さい力で弾性変形可能なものにしようとすると、細いものとなってしまい、今度は塑性変形によって再使用できなくなる可能性がある。また、２パート式の場合は、もちろん、組立や分解が面倒である。
【０００６】
本考案が解決しようとする課題は、シート材に設けられた鳩目に容易に着脱することができるフック、及びそのようなフックと鳩目を用いたシート製品を提供することである。
【課題を解決するための手段】
【０００７】
上記課題を解決するために成された本考案に係るフックは、シート材に固定された鳩目に通すフックであって、
a) 外寸が前記鳩目の内径よりも大きいループ状であるエラストマー製の頭部と、
b) 前記鳩目の内径よりも大きい外寸を有するベース部と、
c) 前記頭部と前記ベース部を接続し、前記鳩目の内径よりも小さい外寸を有するステム部と
を有することを特徴とするものである。
【０００８】
本考案に係るフックの頭部はエラストマー製とする必要があるが、ベース部とステム部はエラストマー製である必要はなく、硬いプラスチックや金属製のもの等を用いることができる。但し、一体成形できるという点で、また、錆等の問題が生じないという点で、全て同じ材料（エラストマー製）とすることが望ましい。
【０００９】
エラストマーには、天然ゴム、合成ゴム等のいわゆるゴムの他、シリコーン等の柔らかい（すなわち、弾性率の低い）プラスチックが含まれる。本考案で用いるエラストマーは、上記フックとしたときに、頭部が人力で容易に変形し、鳩目を通すことができるようになる程度の弾性を有する材料である。
【００１０】
頭部の形状は、紐を通したり、他のフックやリンクを通して抜けないような形状であれば何でもよく、円環状の他、三角形状や星形、ハート形等とすることができる。
【００１１】
また、本考案に係るフックを用いたシート製品は、
a) シート材と、
b) 前記シート材に固定された鳩目と、
c) 前記のフックと
を有することを特徴とする。
【考案の効果】
【００１２】
本考案に係るフックは、頭部を指で押さえて変形させ、シート材に設けられた鳩目の孔に強く押し込むことにより、鳩目を間に、その孔よりも大きい頭部とベース部が両側に存在し、その間をステム部が接続するという形態で本フックが鳩目に遊嵌固定される。シート材が用いられている製品（シート製品）がバッグや外衣、帽子等のファッション性の高いものであれば、このままの状態でも鳩目−フックの組み合わせとしてファッション性の高い外観を表すことができるし、頭部のループにキーホルダー等を吊すという実用的な使い方をすることもできる。
【００１３】
テントシートやマット等の実用品に取り付けた場合は、頭部のループに紐やリンクを通してシート材同士を接続したり、シート製品を枠や柱等の固定部に固定するために用いることができる。
【００１４】
いずれの場合にせよ、不要な時にはフックを鳩目から取り外すことも容易である。また、一旦取り外した後、逆向きに取り付けておくことにより、外側への突出を小さくしつつ、フックの紛失を防止することもできる。
【図面の簡単な説明】
【００１５】
【図１】本考案に係るフックの一実施例の正面図(a)及び側面図(b)。
【図２】本考案に係るフックの取付方法を示す動作説明図。
【図３】本考案に係るフックを使用したシート製品の例を示す図。
【図４】本考案に係るフックの他の実施例を示す正面図。
【考案を実施するための形態】
【００１６】
図１〜図４を用いて、本考案に係るフックの実施例及び使用例を説明する。
【実施例１】
【００１７】
本考案の第一実施例のゴムフック１０は図１に示すように、円環状の頭部１１とステム部１２とベース部１３から成り、本実施例ではこれらは合成ゴムにより一体的に成形されている。頭部１１の外径はこのゴムフック１０が使用される鳩目の内径よりもやや大きくしておく。例えば、鳩目の内径が5mmである場合、本ゴムフック１０の頭部１１の外径は7mm程度、鳩目の内径が10mmである場合には外径は12mm程度とする。一般的には頭部１１の外径は5〜20mm程度とするのが使用に便であるが、要望に応じて更に大きくすることもできるし、小さくすることもできる。
【００１８】
ステム部１２は頭部１１の外径よりも小さく、鳩目に通したときに鳩目の中で自由に動けるような太さにしておく。
【００１９】
ベース部１３は円盤状であり、その外径は鳩目の内径よりも大きくしておく。例えば、鳩目の内径が5mmである場合、ベース部１３の外径は8mm程度、鳩目の内径が10mmである場合には外径は15mm程度とする。頭部１１とは異なり、ベース部１３は容易に鳩目から抜けないようにしておく必要がある。
【００２０】
本ゴムフック１０の使用方法を図２により説明する。まず、図２(a)に示すように、シート材２１に設けられた鳩目２２に、ゴムフック１０の頭部１１を近づける。そして、図２(b)に示すように、頭部１１を鳩目２２の孔に強く押し込む。頭部１１は鳩目２２の内径よりも大きいが、リング状であり、ゴム製であるため、頭部１１は変形して鳩目２２の孔を通ることができるようになる。図２(c)に示すように、鳩目２２の孔を通ってしまうと頭部１１は元の形に戻り、本ゴムフック１０は自然には簡単に鳩目２２から抜けないようになる。
【００２１】
本ゴムフック１０を鳩目２２から外すときは、頭部１１を指で挟んで変形させ、鳩目２２の孔に押し込む。
【００２２】
本考案のフックの使用例を図３に示す。図３(a)はコートの裾に鳩目及び本考案に係るフック３０を取り付けた例を示し、それ自体でファッションアクセントとなる他、鍵等を吊り下げるという実用的な使い方をすることもできる。図３(b)は鞄のマチに鳩目及び本考案に係るフック４０を取り付けた例を示し、ここにも鍵等を付けておくという使い方の他、部屋や車内等にこの鞄を固定しておくためにも用いることができる。
【実施例２】
【００２３】
本考案の他の実施例を図４(a)〜(c)に示す。この図に示すように、頭部は三角形や星形、ハート形等、様々な形とすることができる。また、ステム部の形状も上記実施例のものに限られず、例えば三角柱状、四角柱状、円錐状等とすることができる。ベース部も同様に、鳩目から抜けないようにしておく限り、様々な形状とすることができる。
【符号の説明】
【００２４】
１０…ゴムフック
１１…頭部
１２…ステム部
１３…ベース部
２１…シート材
２２…鳩目
【図１】
0003159804.tif 000003
【図２】
0003159804.tif 000004
【図３】
0003159804.tif 000005
【図４】
0003159804.tif 000006